(57)【要約】本発明は、液体容器（１）用の保持装置（５）であって、前記液体容器を収容するための少なくとも１つの枠部（３）と、該保持装置（５）に脱着可能に結合された、保持装置（５）の部品（６）とを備えた保持装置に関する。可能な限り単純で経済的でしかも小型な利用可能な保持装置（５）を製造するため、部品（６）は、本発明の装置から取外し可能であり、少なくとも１つの工具（１８、１９）（例えば栓抜き）、又はカード（７）を収容するための溝部（８）を備えている。液体容器（１）は、枠部（３、４）及びセクション（１０、１１）によって保持される。前記保持装置は、固定手段（９）によってセンターコンソール（２）に固定される。
2006525171.tif 000002
【特許請求の範囲】
【請求項１】
特に車室内における液体容器（１）用の保持装置（５）であり、前記液体容器（１）を収容するための枠部（３）と、少なくとも２つの隣接した枠部（３、４）の間に配置され、前記保持装置（５）に分離可能に結合され、前記保持装置（５）から取り外すことができ、かつ少なくとも１つの機能的手段（２４）を備えた、前記保持装置（５）の部品（６）とを備えた保持装置であって、
前記部品（６）が挿入部として設計されており、前記機能的手段（２４）がＩＣカードホルダ（１７）及び工具（１８、１９）を備えていることを特徴とする保持装置。
【請求項２】
前記挿入部が、装着位置において前記保持装置（５）に当接する端面（１５、１６）を有し、収容される前記液体容器（１）の方を向いたセクション（１０、１１）を備えていることを特徴とする、請求項１に記載の保持装置。
【請求項３】
前記セクション（１０、１１）が、前記端面（１５、１６）に隣接し、閉じた輪郭を形成するよう前記枠部（３、４）を補完することを特徴とする、請求項２に記載の保持装置。
【請求項４】
前記セクション（１０、１１）と前記枠部（３、４）とで形成された前記輪郭が、略環状であることを特徴とする、請求項３に記載の保持装置。
【請求項５】
前記工具（１８、１９）が、少なくとも１つのスクリューキャップ用オープナ（１８）、王冠キャップ用オープナ（１９）又はコルク抜きを備えることを特徴とする、請求項１〜４のいずれか一項に記載の保持装置。
【請求項６】
前記部品（６）が、２つの工具（１８、１９）を含むことを特徴とする、請求項１〜５のいずれか一項に記載の保持装置。
【請求項７】
前記部品（６）が、少なくとも３つの機能的手段（２４）を含むことを特徴とする、請求項１〜６のいずれか一項に記載の保持装置。
【請求項８】
前記部品（６）が、差込結合部（１３）、クリップ結合部（１４）、及び／又は磁気によって前記保持装置（５）に結合されることを特徴とする、請求項１〜７のいずれか一項に記載の保持装置。
【発明の詳細な説明】
【技術分野】
【０００１】
本発明は、請求項１の前段に記載の、液体容器用の保持装置に関する。
【背景技術】
【０００２】
かかる保持装置は一般に知られており、例えば、車室のセンターコンソールに配置される。該保持装置は、飲料のボトル、カップ、又は缶を収容するのに役立つ。例えば、特許文献１には、缶を入れるための凹部を備えた収容部を形成しているセンターコンソールと、該センターコンソールの凹部に取外し可能に嵌合できる圧着式挿入部との組合わせからなる一般的なタイプの保持装置が示されている。
【０００３】
さらなる技術的背景に関しては、特許文献２及び特許文献３も参照されたい。
【０００４】
【特許文献１】独国特許出願公開第１９８  ０２  ８９７  Ａ１号明細書
【特許文献２】特開平９−３０３１０号公報
【特許文献３】特開平６−３２０９９７号公報
【発明の開示】
【発明が解決しようとする課題】
【０００５】
本発明の目的は、様々な機能を組み合わせた挿入部を有する、可能な限り単純で費用効果が高くしかも小型な保持装置を提供することである。
【課題を解決するための手段】
【０００６】
本発明によれば、上記目的は、請求項１の特徴を有する保持装置によって達成される。
【０００７】
特に車室内における液体容器用の保持装置は、液体容器を収容するための枠部を備えている。保持装置の一部品は少なくとも２つの隣接した枠部の間に配置されている。この部品は、保持装置に分離可能に結合され、該保持装置から取り外すことができ、少なくとも１つの機能的手段を備えている。この部品は挿入部として設計されており、機能的手段は、ＩＣカードホルダ及び工具を含む。その結果、枠部の間の空間を最適に活用できる。機能的手段は、使用者の要求に合わせて選択され得る。保持手段は、挿入部の溝部又は凹部として設計され得る。この溝部又は凹部は、様々な物に対する収容性を改善するように様々な形態を取り得る。収容するカードに長さを合わせた狭い凹部は、磁気カード、ＩＣカード、又は駐車券を収容するのに好都合である。その際、カードは直立に保持され、取りやすくなっている。ＣＤを直立した状態で収容するために、凹部は、底部が円の弧として形成された浅い角柱形状であってもよい。しかし、凹部はまた、例えば音楽カセットを収容できるように幅広にされていてもよい。保持手段を構成する第３の可能な態様は、挿入部から突出して、平らな物の側面が押さえられるようにするクリップを含む。これらのクリップも同じく、収容する物に合わせて調整され得る。溝部、凹部又はクリップとは別に、マグネット、面ファスナーなどの他のタイプの保持手段も可能である。
【０００８】
本発明のさらなる改良形態では、挿入部は、装着位置において端面が保持装置に面一に当接している。端面が保持装置に当接していることにより、様々な利点がもたらされる。結果として得られるぴったりした嵌合は、一方で挿入に好都合であり、他方で装着位置における上記部品の保持の向上を可能にする。さらには、審美的なデザインが得られる。
【０００９】
さらなる実施形態では、液体容器の方を向いたセクションは、上記端面に隣接しており、枠部を補完して閉じた輪郭を形成している。この実施形態の利点は、保持される液体容器を、その外周全体にわたって支持できることである。
【００１０】
本発明の特に好ましい実施形態では、上記セクションと枠部とで形成された輪郭は略環状である。この形状によって、少なくとも部分的に円錐状又は円筒状の液体容器（例えばコップ、カップ、缶、又はボトル）が、全周を囲まれるように確実に保持される。しかしながら、このセクションはまた、例えば飲料用の紙パック又はパウチ袋に対するグリップ性を高めるために、他の容器形状を収容するように設計されていてもよい。
【００１１】
本発明のさらなる実施形態では、工具は、スクリューキャップ用オープナ、王冠キャップ用オープナ又はコルク抜きである。これらは、挿入部の裏面に配置される。コルク抜きは、ペンナイフのように展開できるように設計され得る。ここでは、挿入部が同時に工具用の把手として機能することが好都合である。
【００１２】
本発明のさらなる実施形態では、上記部品は、機能的手段の組合わせを備えている。ここでは、この部品が、様々な機能（例えば栓抜き、カードホルダ）を果たすことができることが好都合である。
【００１３】
本発明のさらなる改良形態では、上記部品は、差込結合部、クリップ結合部を用いて、及び／又は磁気によって保持装置に結合されている。これらの結合の可能性は、個別に又は様々な組み合わせで存在していてもよい。したがって、例えば、１つの端面は、ガイドピンとして同時に機能して上記部品を挿入するときに好都合なピンを備えていてもよい。しかしながら、端面はまた、例えばラッチフックなどのクリップ結合部を備えていてもよい。磁気による結合部は、端面の一部又は全てが磁気材料からなり、この領域において、対応して磁気材料で構成された枠部に端面が当接するように構成され得る。ここでは、摩耗が生じず、結合部が不注意な誤った取り扱いによって損傷されないことが好都合である。
【００１４】
本発明のさらなる利点及び特徴が、残りの従属項及び説明から明らかになるであろう。
【００１５】
本発明の例示的実施形態を以下に説明し、図面によって示す。
【発明を実施するための最良の形態】
【００１６】
図１は、保持装置５を装備した自動車のセンターコンソール２を示す斜視図であり、センターコンソール２は、さらに詳細には示されていない。保持装置５は、それぞれカップ１が置かれる２つの枠部３、４を有している。枠部３、４は、センターコンソール２の長手方向に対して横方向に、互いに隣り合うように配置されている。
【００１７】
図２は、保持装置５の、装着状態における取外し可能な部品６の提案される実施形態を示している。カード７が、溝部８として設計されたホルダ１７に挿入されている。部品６のセクション１０が枠部３と隣接して、枠部３とともに環状部を形成している。右側の枠部４はカップ１を保持している。カップ１は全周を囲まれるように保持されている。保持装置５は、センターコンソール２に装着できるように固定手段９を備えている。
【００１８】
図３は、保持装置５及び部品６を示す斜視図である。保持装置５は、装着状態において部品６のピン１３（図４を参照）を受ける穴１２を備えている。端面１５、１６（図４を参照）は、形状を保持装置５に合わせてある。部品６は、取り外した直後か又は挿入する直前の位置にある。挿入の際には、最初にピン１３を穴１２に配置し、次に部品６の反対側を押し下げることによってクリップ結合部１４を保持装置５にラッチ留めする。取外しは逆の順序で行う。
【００１９】
図４は、部品６の斜め上から見た斜視図を示している。カード７を収容するための溝部８が、部品６の中央に位置している。ピン１３は端面１６に位置しており、穴１２によって、保持装置５との差込結合をもたらす。差込結合のピン１３は、オープナ１８（図５を参照）より上に配置されている。
【００２０】
図５は、取外し可能な部品６の下から見た図を示している。スクリューキャップ用オープナ１８及び王冠キャップ用オープナ１９が、互いに反対側に配置されている。オープナ１８はギザギザの形状を備えている。オープナ１８の開口部は部品６の端面１６から中央に向かうにつれて狭くなっている。このオープナ１８によって様々な直径のスクリューキャップを掴むことができる。セクション１０、１１は、カップ１の外形に形状を合わせてある。
【００２１】
部品６は、一体のハウジング２０及び底部２１からなる。ハウジング２０は、ピン１３、溝部８、セクション１０、１１、及び端面１５、１６を備えている。底部２１はオープナ１８、１９を備え、例えば金属又は硬質プラスチック製であり、ハウジングにしっかりと結合されている。
【００２２】
カード７は、溝部８を介してハウジングの中に押し込まれることによって保持されている。底部２１は、ストッパとして機能し、カード７が滑り抜けるのを防ぐ。
【００２３】
図６は、部品６及びボトル２３のスクリューキャップ２２を示している。部品６は、ボトル２３のスクリューキャップに当てられており、同時にオープナ１８の把手とてこを兼ねている。
【００２４】
さらなる可能性では、部品６は展開式のコルク抜きを備える。コルク抜きが展開される中心となる軸は、展開した状態においてコルク抜きが底部２１から中央に突出するように配置される。折り畳んだ状態においては、コルク抜きは部品６内に戻される。さらに、底部２１は交換可能であってもよく、それによって、機能的手段２４の様々な組合わせが可能になる。
【図面の簡単な説明】
【００２５】
【図１】カップホルダを装備した自動車のセンターコンソールの詳細を示す斜視図である。
【図２】本発明によって実施される取外し可能な挿入部を備えた保持装置を示す。
【図３】２つの液体容器用の保持装置及び取外し可能な挿入部を示す斜視図である。
【図４】取外し可能な挿入部の斜め上から見た斜視図を示す。
【図５】取外し可能な挿入部の下から見た図を示す。
【図６】ボトルのスクリューキャップを開ける際の、使用位置における取外し可能な挿入部を示す。
【図１】
2006525171.tif 000003
【図２】
2006525171.tif 000004
【図３】
2006525171.tif 000005
【図４】
2006525171.tif 000006
【図５】
2006525171.tif 000007
【図６】
2006525171.tif 000008
【国際調査報告】
2006525171.tif 000009
2006525171.tif 000010
2006525171.tif 000011
2006525171.tif 000012